(57)【特許請求の範囲】
【請求項１】
基材テープ上に転写層を設けた転写テープと、この転写テープを巻いた供給リールと、この供給リールより供給される転写テープをテープ通過部に通して、転写テープのうち、上記転写層を基材テープから剥離しながら被転写材へ転写させる感圧用ヘッドと、転写使用後に残った基材テープを巻き取る巻取リールとを、器体に装備してある感圧転写具において、感圧用ヘッドには、ヘッド先端に感圧用の転写部を突出形成してあり、この転写部の幅を感圧用ヘッドのテープ通過部の幅より小さく形成してあると共に、両側部に翼状補強片が形成され、翼状補強片の先端は中央のテープ通過部より前方に突出しており、感圧用の転写部の先端は、翼状補強片の先端より前方に突出していることを特徴とする感圧転写具。
【請求項２】
転写部の幅が、テープ通過部の幅の１／８〜３／４であることを特徴とする請求項１記載の感圧転写具。
【発明の詳細な説明】
【０００１】
【発明の属する技術分野】
本発明は、感圧転写具に関し、より詳しくは細かい部分に感圧転写層を転写することができる感圧転写具に関する。
【０００２】
【従来の技術および発明が解決しようとする課題】
従来より、印刷物等の作成文書の特定部分を消去して訂正するのに、白色による有色転写層を転写させる消去用転写テープが用いられている。また、学生等が暗記作業を効率的に行うために、暗記すべき部分をマーカーで着色することが行われており、このマーカーで着色する代わりに透明な赤色や緑色等による着色転写層を転写させるマーカー用テープが用いられることもある。さらには、スティック状の糊を所定部分に付ける代わりに、粘着層を転写せさる、いわゆる粘着層転写テープが用いられることもある。
【０００３】
これらの消去用転写テープ、マーカー用転写テープ、粘着層転写テープなどを印刷物等に容易に転写することのできる転写具は、たとえば実開平６−３２４４６号公報や特願平７−３３７４４６号として提案されている。
しかしながら、現状の転写具としては、殆どが４ｍｍ以上の幅で転写を行うものであって、細かい部分への転写が不可能なものであり、例えば、消去目的では８ポイント以下の文字の訂正等は極めて困難であった。
【０００４】
そのため、上記転写具においては、例えば８ポイント以下の細かい文字上に消去用転写テープ、マーカー用転写テープの転写層を転写したり、例えば幅２ｍｍ以下の部分に粘着層転写テープの転写層を転写することが要望されている。
本発明においては、上記した要望に適応できるような感圧転写具を提供することを目的としている。
【０００５】
【課題を解決するための手段】
上記目的を達成できる本発明による感圧転写具としては、請求項１に記載したように、基材テープ上に転写層を設けた転写テープと、この転写テープを巻いた供給リールと、この供給リールより供給される転写テープを通過部に通して、転写テープのうち、上記転写層を基材テープから剥離しながら被転写材へ転写させる感圧用ヘッドと、転写使用後に残った基材テープを巻き取る巻取リールとを、器体に装備してある感圧転写具において、感圧用ヘッドには、ヘッド先端に感圧用の転写部を突出形成してあり、この転写部の幅を感圧用ヘッドのテープ通過部の幅より小さく形成してあると共に、両側部に翼状補強片が形成され、翼状補強片の先端は中央のテープ通過部より前方に突出しており、感圧用の転写部の先端は、翼状補強片の先端より前方に突出していることを特徴としている。
【０００６】
上記請求項１記載の感圧転写具によると、感圧用ヘッドの先端に突出形成した感圧用の転写部の幅としては、感圧用ヘッドのテープ通過部の幅よりも小さく形成されているので、細幅の転写層を被転写材へ転写することができるようになる。また、感圧用ヘッドには、両側部に翼状補強片が形成され、翼状補強片の先端は中央のテープ通過部より前方に突出しており、感圧用の転写部の先端は、翼状補強片の先端より前方に突出していることを特徴とするものであり、テープ通過部よりその先端が突出した翼状補強片にて転写テープの位置を確実に規制できて、転写テープが軌道から外れなくなり、しかも転写部の先端は翼状補強片の先端より前方に突出しているので、転写時には細かい部分に対しても、確実な転写が実現できることになる。
【０００７】
さらに本発明では、請求項２に記載したように、転写部の幅がテープ通過部の幅の１／８〜３／４であることが好ましいもので、上記１／８より未満の幅では狭すぎて転写部の製造が困難であり、上記３／４よりも広くなると、転写部をあえて設置する意義が薄れてしまうからである。
【０００８】
【発明の実施の形態】
次いで本発明の実施形態について、順次図を参照しながら以下に説明する。
図１および図２は、感圧転写具の全体図を示しており、図３には感圧用ヘッドを示し、図４および図５には、感圧用ヘッドの器体への装填状態の詳細を示してある。図中１は感圧転写具の器体であって、プラスチック成形された半割体１ａ，１ｂを長手方向で合致させて形成されてあり（図２参照）、図示しないが互いの凹凸部による嵌合によるものであり、内部透視できるように双方を透明体にするか一方を透明体にして形成されている。この器体１の全体形状としては、先端側を細長い形状にしてペンタイプとして片手で把持使用できるような形状の把持部１１として形成してあり、把持部１１から後続する部分１２は、転写テープＴの装填部分となるようスペースを広く形成してある。
【０００９】
上記感圧転写具の器体１には、基材テープＴ1 の上に転写層Ｔ2 を設けた転写テープＴを装備するもので、具体的には、転写テープＴを巻いた供給リール２、供給リール２より供給される転写テープＴのうち、転写層Ｔ2 を基材テープＴ1 から剥離しながら被転写材Ａへ転写するために転写テープＴを通過させるテープ通過部３１を含む感圧用ヘッド３、転写使用後に残った基材テープＴ1 を巻き取る巻取リール４が備えられている。供給リール２と巻取リール４とは連動して回転するよう供給リール２側のギアＧ1 と巻取リール４側のギアＧ2 とを噛み合わせている。なお、図１には図示していないが、供給リール２にはブレーキ機構を装備していて、転写テープＴは送り方向のみに回転されるように構成されている。
【００１０】
上記の構成により、供給リール２から繰り出される転写テープＴは、ガイドピンＰ1 ，Ｐ2 を介して、器体１の開口１３から外部へ出て、感圧用ヘッド３のテープ通過部３１に接して転写層Ｔ2 の転写後、残った基材テープＴ1 は折り返して、開口１３より器体１内に戻り、ガイドピンＰ3 を介して巻取リール４に巻き取られる。
【００１１】
次に、器体１の先端に設置してある前記した感圧用ヘッド３について、その形状の詳細を図３により説明すると、器体１の外側に位置させるテープ通過部３１と器体１内に装填させる板状の保持部３２とからなっていて、ヘッド先端となるテープ通過部３１の先端には、感圧用の転写部３７が突出形成されてあり、この転写部３７の幅ｂをテープ通過部３１の幅Ｂよりも小さく形成してある。具体的には、テープ通過部３１の幅Ｂの１／８〜３／４の範囲内の幅で形成するのが好ましく、転写部３７の下端は、断面直角よりもアール形状に形成しておく方が感圧転写し易くて好ましい。特に保持部３２の上下面には長手方向に延びるリブ状の安定部材３３，３３を突設してあり、テープ通過部３１の両側部には一対の、図では三角形状をしたガイド用の翼状補強片３４，３４を形成し、翼状補強片３４，３４の先端は、中央のテープ通過部３１より前方へ突出しており、感圧用の転写部３７の先端は、翼状補強片３４，３４の先端より前方へ突出していて、転写テープが軌道から外れ難くすることと、細かな部分への転写を行い易くしている。さらに上記保持部３２には、装填側先端の両側面に第１の突起３５，３５と感圧部３１との境界付近に第２の突起３６，３６とを形成し、後述する器体１への装填についての安定化を図るための構造を採用している。
【００１２】
上記した感圧用ヘッド３の器体１への装填状態を図４と図５を参照して説明すると、器体１の半割体１ａ，１ｂ間に感圧用ヘッド３が位置できるよう器体１の開口部１３から内方位置へ板状の保持部３２が装填されてあり、器体１の半割体１ａ，１ｂの一方側面から他方半割体へ向けて２枚の挟持板１４，１４が長く突設されていて、その挟持板１４，１４の間に感圧用ヘッド３の装填側となる板状の保持部３２の一部を挟装し、上下の移動を防いでおり（図４参照）、リブ状の安定部材３３の後端は、挟持板１４，１４の前端１４ａと当接するようにし、第１の突起３５，３５と第２の突起３６，３６の間には、器体１の各半割体１ａ，１ｂの側方から短く突設された係合板１５，１５を挟むことにより、前後への移動を防いでいる（図５参照）。なお、１６，１６は器体１の先端を補強するリブを示している。
【００１３】
なお、感圧用ヘッド３における板状の保持部３２に突設してあるリブ状の安定部材３３については、図示した実施例のように保持部３２の上下面に突設されるほか、上下面一方でもよい。
【００１４】
上記感圧転写具は、器体１をたとえばペンを持つように６０°〜８０°の起上状態にして片手で把持し、すなわち把持部１１側面に人差し指、中指および親指をそれぞれ当てがい、感圧用ヘッド３の先端に突出形成した細幅の転写部３７を被転写材Ａ上に感圧しながら移行させてやると（図１の白矢印参照）、転写テープＴの転写層のうち、感圧用の転写部３７の細幅に対応した転写層Ｔ2 だけが剥がされて被転写材Ａへと転写される。
【００１５】
なお、感圧用ヘッド３の保持部３２に突設されているリブ状の安定部材３３は、保持部３２の一面または両面に複数本突設されていてもよい。安定部材３３が複数本突設されると、保持部３２をより一層強固にすることができ、ひいてはテープ通過部３１に対する安定保持を強化できることになる。
また、転写層Ｔ2は、印刷物等の作成文書のうち８ポイント以下の文字や図面の線等の特定部分を消去して訂正するための消去用テープに用いられる白色の着色転写層であってもよいし、学生等が暗記作業を行うために暗記すべき細かい文字や図形、符号部分を強調するための着色転写用テープ（マーカー用テープ）で用いられる赤色や緑色の着色転写層であってもよい。さらには、細かい部分に対しての粘着層転写テープで用いられる粘着層であってもよい。
【００１６】
本実施形態の説明は以上であるが、本発明は上記の実施形態に限られるものではなく、その他、特許請求の範囲に記載された技術的事項の範囲で、種々の変更を施すことが可能である。
【００１７】
【発明の効果】
以上のように、本発明によれば、器体の先端に設置される感圧用ヘッドの先端には、感圧用の転写部を突出形成してあり、しかもこの転写部の幅は、テープ通過部の幅よりも小さなものゆえ、細い幅による転写が簡単且つ確実に行えることになる。
【図面の簡単な説明】
【図１】この発明の一実施形態にかかる感圧転写具の全体構成を示す側面図である。
【図２】図１に対する正面図である。
【図３】感圧用ヘッドの斜視図である。
【図４】感圧用ヘッドの器体に対する装填状態を説明するための側面図である。
【図５】感圧用ヘッドの器体に対する装填状態を説明するために、前図Ｖ−Ｖにて器体側のみを断面で示す平面図である。
【符号の説明】
１    器体
２    供給リール
３    感圧用ヘッド
４    巻取リール
３１  テープ通過部
Ｂ    テープ通過部の幅
３２  保持部
３３  翼状補強片
３４  翼状補強片
３７  転写部
ｂ    転写部の幅
Ｔ    転写テープ
Ｔ1   基材テープ
Ｔ2   転写層
【図１】
0003813681.tif 000002
【図２】
0003813681.tif 000003
【図３】
0003813681.tif 000004
【図４】
0003813681.tif 000005
【図５】
0003813681.tif 000006